(57)【特許請求の範囲】
【請求項１】
プレゼンテーション画像を提供するものであって、プレゼンテーション画像を送信するための無線ＬＡＮ送信機を有するマスタ装置、ならびにマスタ装置から送信されてきたプレゼンテーション画像を受信するための無線ＬＡＮ受信機および無線ＬＡＮ受信機によって受信されたプレゼンテーション画像を表示するＰＤＰ表示器を有するホスト装置を備えたプレゼンテーション装置において、
ホスト装置側の表示モードとして、特殊表示効果を無視した表示制御が行なわれる簡易表示モードと、特殊表示効果を有効とした表示制御が行われる通常表示モードとがあり、 マスタ装置は、
ホスト装置に送信したプレゼンテーション画像をホスト装置側で表示させる際において、ホスト装置のＣＰＵ負荷状態をホスト装置に問い合わせることにより、ホスト装置のＣＰＵ負荷状態が低負荷状態であるか、高負荷状態であるかを判別する判別手段、
判別手段によって判別されたホスト装置のＣＰＵ負荷状態が高負荷状態である場合には、ホスト装置に表示モードとして簡易表示モードを指定するために、簡易表示モードを表す表示指定コマンドをホスト装置に送信する手段、ならびに、
判別手段によって判別されたホスト装置のＣＰＵ負荷状態が低負荷状態である場合には、ホスト装置に表示モードとして通常表示モードを指定するために、通常表示モードを表す表示指定コマンドをホスト装置に送信する手段、
を備えていることを特徴とするプレゼンテーション装置。
【発明の詳細な説明】
【０００１】
【発明の属する技術分野】
この発明は、プレゼンテーション装置に関する。
【０００２】
【従来の技術】
従来から液晶プロジェクタを用いたプレゼンテーションシステムがよく知られている。このようなプレゼンテーションシステムにおいては、パソコンから液晶プロジェクタ本体に送られてきた画像データが液晶パネルに送られ、液晶パネル上での表示画像がスクリーンに拡大表示せしめられる。
【０００３】
一般的に、プレゼンテーションを行う場合には、プレゼンテーターはパソコンを操作しながら、プレゼンテーションの説明を行う。したがって、プレゼンテーターにとっては、プレゼンテーション画像が見やすい所でパソコンを操作できれば便利である。このため表示部から離れた所でパソコンを操作できれば便利である。
【０００４】
液晶プロジェクタを用いたプレゼンテーションシステムで言えば、表示部であるスクリーンと離れた所に、パソコンを配置することができれば便利である。液晶プロジェクタを用いたプレゼンテーションシステムにおいては、表示部であるスクリーンから離れた所にパソコンを配置した場合でも、パソコンの直ぐ近くに液晶プロジェクタ本体を配置することができる。このため、パソコンと液晶プロジェクタ本体とをケーブル等の接続線で接続することにさほど問題は生じない。
【０００５】
ところで、最近、平面ディスプレイ装置として壁掛け方式が可能な厚さ１０ｃｍ程度のＰＤＰ（プラズマ  ディスプレイ  パネル）表示装置が注目されている。壁に装着されるＰＤＰ表示装置では、駆動回路等の回路が一体的に組み込まれており、フロアには接続線等が無い状態で設営される。
【０００６】
このようなＰＤＰ表示装置にパソコンで作成したプレゼンテーション画像を表示させるプレゼンテーションシステムにおいては、表示部であるＰＤＰ表示装置から離れた所にパソコンを配置すると、パソコンとＰＤＰ表示装置とを比較的長い接続線で接続する必要があるため、不便であるという問題がある。
【０００７】
そこで、本出願人は、プレゼンテーション画像を提供するパソコン（マスタ装置）側に無線ＬＡＮ送信機を設け、プレゼンテーション画像を表示するためのＰＤＰ（ホスト装置）側に無線ＬＡＮ受信機を設け、パソコン側から無線ＬＡＮ送信機を介して送られてきた画像を無線ＬＡＮ受信機によって受信させ、無線ＬＡＮ受信機によって受信された画像をＰＤＰに表示させるようにしたプレゼンテーション装置を開発した。
【０００８】
しかしながら、このプレゼンテーション装置では、パソコン側のＣＰＵ負荷の状態およびＰＤＰ側のＣＰＵ負荷の状態にかかわらず、パソコン側およびＰＤＰ側の両方でプレゼンテーション画像を表示する仕様となっているため、パソコン側またはＰＤＰ側においてＣＰＵ負荷が異常に大きくなる可能性がある。パソコン側またはＰＤＰ側においてＣＰＵ負荷が異常に大きくなると、通信処理、表示処理が遅れ、プレゼンテーションを行う上で、支障をきたすことになる。
【０００９】
【発明が解決しようとする課題】
この発明は、ホスト装置側において、ホスト装置側のＣＰＵの負荷の状態に適応した表示処理が可能となり、プレゼンテーションをよりスムーズに行うことが可能となるプレゼンテーション装置を提供することを目的とする。
【００１０】
【課題を解決するための手段】
この発明によるプレゼンテーション装置は、プレゼンテーション画像を提供するものであって、プレゼンテーション画像を送信するための無線ＬＡＮ送信機を有するマスタ装置、ならびにマスタ装置から送信されてきたプレゼンテーション画像を受信するための無線ＬＡＮ受信機および無線ＬＡＮ受信機によって受信されたプレゼンテーション画像を表示するＰＤＰ表示器を有するホスト装置を備えたプレゼンテーション装置において、ホスト装置側の表示モードとして、特殊表示効果を無視した表示制御が行なわれる簡易表示モードと、特殊表示効果を有効とした表示制御が行われる通常表示モードとがあり、マスタ装置は、ホスト装置に送信したプレゼンテーション画像をホスト装置側で表示させる際において、ホスト装置のＣＰＵ負荷状態をホスト装置に問い合わせることにより、ホスト装置のＣＰＵ負荷状態が低負荷状態であるか、高負荷状態であるかを判別する判別手段、判別手段によって判別されたホスト装置のＣＰＵ負荷状態が高負荷状態である場合には、ホスト装置に表示モードとして簡易表示モードを指定するために、簡易表示モードを表す表示指定コマンドをホスト装置に送信する手段、ならびに判別手段によって判別されたホスト装置のＣＰＵ負荷状態が低負荷状態である場合には、ホスト装置に表示モードとして通常表示モードを指定するために、通常表示モードを表す表示指定コマンドをホスト装置に送信する手段を備えていることを特徴とする。
【００１１】
【発明の実施の形態】
以下、図面を参照して、この発明の実施の形態について説明する。
【００１２】
プレゼンテーション装置は、操作側装置１（以下、マスタ装置という）と、ＰＤＰ表示装置（以下、ホスト装置という）２とから構成されている。
【００１３】
マスタ装置１は、プレゼンテーション画像を提供するためのノートパソコン等のパーソナルコンピュータ（ＰＣ）１０と、ＰＣ１０のＰＣカードインターフェース部１３に接続されたワイヤレスモデム部（無線ＬＡＮ送信機）２０とからなる。ＰＣ１０は、良く知られているように、キーボード１１と、液晶表示器１２と、ＰＣカードインターフェース部１３と、画像メモリ１４と、ＣＰＵを含む制御部１５とを備えている。制御部１５内のＣＰＵを、マスタ側ＣＰＵということにする。
【００１４】
ホスト装置２は、マスタ装置１のワイヤレスモデム部（無線ＬＡＮ送信機）２０に適合したワイヤレスモデム部（無線ＬＡＮ受信機）３１、ＰＤＰ表示器３２、マスタ装置１から送られてきた画像データを格納するための画像メモリ３３およびＣＰＵを含む制御部３４とを備えている。制御部３５内のＣＰＵを、ホスト側ＣＰＵということにする。
【００１５】
マスタ装置１の画像メモリ１４には、ホスト装置２に送信するためのプレゼンテーション画像が格納されている。画像メモリ１４に格納されているプレゼンテーション画像を、マスタ装置１からホスト装置２に送信して、ホスト装置２に表示させる際には、操作者は送信すべきプレゼンテーション画像を指定した後、マスタ装置１に送信指令を入力する。操作者は、１頁分のプレゼンテーション画像が指定する毎に、送信指令を入力するものとする。
【００１６】
図２および図３は、マスタ装置１に送信指令が入力された場合に、マスタ側ＣＰＵによって行われる送信処理手順を示している。
【００１７】
送信指令が入力されると、操作者によって指定された１頁分の送信画像を選択する（ステップ１）。
【００１８】
そして、送信許可・不許可の問い合わせコマンドをホスト装置２に送信する（ステップ２）。ホスト装置２は、後述するように、この問い合わせコマンドを受信した場合には、画像メモリ３３に空きがあるか否かを判別し、空きがある場合には許可コマンドを、空きがない場合には不許可コマンドを、マスタ装置１に送信する。また、ホスト装置２は、許可コマンドを送信した場合には、制御部３４内のＣＰＵ（ホスト側ＣＰＵ）の負荷状態をマスタ装置１に送信する。
【００１９】
ホスト装置２からの不許可コマンドを受信した場合には（ステップ３でＹＥＳ）、送信エラーを表示器１２に表示した後（ステップ４）、今回の送信処理を終了する。ホスト装置２からの許可コマンドを受信した場合には（ステップ５でＹＥＳ）、ホスト装置２からホスト側ＣＰＵの負荷状態が送られてくるのを待機する（ステップ６）。
【００２０】
ホスト装置２からのホスト側ＣＰＵの負荷状態を受信すると（ステップ６でＹＥＳ）、ホスト側ＣＰＵの負荷状態に適応した送信処理が行われる。つまり、ホスト側ＣＰＵの負荷状態が高負荷状態である場合には（ステップ７）、待機状態であることを表示器１２に表示した後（ステップ８）、ステップ２に戻って送信許可・不許可の問い合わせコマンドを再度、送信する。
【００２１】
ホスト側ＣＰＵの負荷状態が中負荷状態である場合には（ステップ７）、ステップ１で選択した１頁分の画像データを間欠的に（少しずつ所定間隔おきに）ホスト装置２に送信する（ステップ９）。
【００２２】
ホスト側ＣＰＵの負荷状態が低負荷状態である場合には（ステップ７）、ステップ１で選択した１頁分の画像データを連続してホスト装置２に送信する（ステップ１０）。
【００２３】
ステップ９またはステップ１０によって、１頁分の画像データの送信が終了すると、画像表示コマンドをホスト装置２に送信する（ステップ１１）。ホスト装置２は、後述するように、この画像表示コマンドを受信した場合には、ホスト側ＣＰＵの負荷状態をマスタ装置１に送信する。
【００２４】
ホスト装置２からのホスト側ＣＰＵの負荷状態を受信すると（ステップ１２でＹＥＳ）、ホスト側ＣＰＵの負荷状態に基づいて、ホスト装置２側での画像表示モードを決定する。つまり、受信したホスト側ＣＰＵの負荷状態が高負荷状態である場合には（ステップ１３）、待機状態であることを表示器１２に表示した後（ステップ１４）、ステップ１１に戻って画像表示コマンドを再度、送信する。
【００２５】
ホスト側ＣＰＵの負荷状態が中負荷状態である場合には（ステップ１３）、表示モードが簡易表示モードであることを表す表示モード指定コマンドをホスト装置２に送信する（ステップ１５）。受信したホスト側ＣＰＵの負荷状態が低負荷状態である場合には（ステップ１３）、表示モードが通常表示モードであることを表す表示モード指定コマンドをホスト装置２に送信する（ステップ１６）。
【００２６】
ホスト装置では、通常表示モードが指定された場合には、フェードイン、フェードアウト等の特殊表示効果を有効とした表示制御処理が行われ、簡易表示モードが指定された場合には、特殊表示効果を無視した表示制御処理が行われる。
【００２７】
ステップ１５またはステップ１６において表示モード指定コマンドが送信されると、マスタ側ＣＰＵが過負荷状態となっているか否かを判別する（ステップ１７）。マスタ側ＣＰＵが過負荷状態となっていない場合には、上記ステップ９または１０においてホスト装置２に送信した１頁分の画像を表示器１２に表示させる（ステップ１８）。そして、今回の送信処理を終了する。
【００２８】
上記ステップ１７において、マスタ側ＣＰＵが過負荷状態となっている場合には、記ステップ９または１０においてホスト装置２に送信した１頁分の画像を表示器１２に表示させることなく、今回の送信処理を終了する。
【００２９】
図４および図５は、ホスト装置２が送信許可・不許可の問い合わせコマンドを受信した場合に、ホスト側ＣＰＵによって行われる受信処理手順を示している。
【００３０】
マスタ装置１からの送信許可・不許可の問い合わせコマンドを受信すると、画像メモリ３３に空きがあるか否かを判別する（ステップ４１）。画像メモリ３３に空きがない場合には不許可コマンドをマスタ装置１に送信し（ステップ４２）、今回の受信処理を終了する。
【００３１】
画像メモリ３３に空きがある場合には許可コマンドをマスタ装置１に送信する（ステップ４３）。そして、ホスト側ＣＰＵの負荷状態を判別し（ステップ４４）、その判別結果を送信する（ステップ４５、４６、４７）。
【００３２】
ホスト側ＣＰＵが高負荷状態であることを送信した場合は（ステップ４５）、今回の受信処理を終了する。ホスト側ＣＰＵが中負荷状態または低負荷状態であることを送信した場合は（ステップ４６、４７）、その後にマスタ装置１から送られてくる画像データを画像メモリ３３に格納する（ステップ４８）。
【００３３】
そして、マスタ装置１から画像表示コマンドが送られてくるのを待つ（ステップ４９）。画像表示コマンドを受信すると（ステップ４９でＹＥＳ）、ホスト側ＣＰＵの負荷状態を判別し（ステップ５１）、その判別結果を送信する（ステップ５２、５３、５４）。
【００３４】
ホスト側ＣＰＵが高負荷状態であることを送信した場合は（ステップ５２）、ステップ４９に戻って、画像表示コマンドの受信待機状態となる。
【００３５】
ホスト側ＣＰＵが中負荷状態または低負荷状態であることを送信した場合は（ステップ５３、５４）、マスタ装置１から表示モード指定コマンドが送られてくるのを待つ（ステップ５５）。
【００３６】
マスタ装置１からの表示モード指定コマンドを受信すると（ステップ５５でＹＥＳ）、受信した表示モード指定コマンドによって指定される表示モード（簡易表示モードまたは通常表示モード）に応じた画像表示制御処理を行うことにより、上記ステップ４８で格納した１頁分の画像を表示器３３に表示する（ステップ５６）。そして、今回の受信処理を終了する。
【００３７】
上記実施の形態では、ホスト側ＣＰＵの負荷状態が、高、中、低の３段階に分類されているが、ホスト側ＣＰＵの負荷状態を、高、低の２段階に分類するようにしてもよい。
【００３８】
ホスト側ＣＰＵの負荷状態を、高、低の２段階に分類した場合の図２のステップ６の処理例について説明する。
【００３９】
たとえば、図２のステップ７において、ホスト側ＣＰＵの負荷状態が高負荷状態であると判定した場合には、ステップ８（待機）に移行させ、図２のステップ７において、ホスト側ＣＰＵの負荷状態が低負荷状態であると判定した場合には、ステップ１０（画像データの連続送信）に移行させる。
【００４０】
あるいは、図２のステップ７において、ホスト側ＣＰＵの負荷状態が高負荷状態であると判定した場合には、ステップ９（画像データの間欠送信）に移行させ、図２のステップ７において、ホスト側ＣＰＵの負荷状態が低負荷状態であると判定した場合には、ステップ１０（画像データの連続送信）に移行させる。
【００４１】
ホスト側ＣＰＵの負荷状態を、高、低の２段階に分類した場合の図３のステップ１３の処理例について説明する。
【００４２】
たとえば、図３のステップ１３において、ホスト側ＣＰＵの負荷状態が高負荷状態であると判定した場合には、ステップ１４（待機）に移行させ、図３のステップ１３において、ホスト側ＣＰＵの負荷状態が低負荷状態であると判定した場合には、ステップ１６（通常表示モードを示す表示モード指定コマンドの送信）に移行させる。
【００４３】
あるいは、図３のステップ１３において、ホスト側ＣＰＵの負荷状態が高負荷状態であると判定した場合には、ステップ１５（簡易表示モードを示す表示モード指定コマンドの送信）に移行させ、図３のステップ１３において、ホスト側ＣＰＵの負荷状態が低負荷状態であると判定した場合には、ステップ１６（通常表示モードを示す表示モード指定コマンドの送信）に移行させる。
【００４４】
【発明の効果】
この発明によれば、ホスト装置側において、ホスト装置側のＣＰＵの負荷の状態に適応した表示処理が可能となり、プレゼンテーションをよりスムーズに行うことが可能となる。
【図面の簡単な説明】
【図１】  プレゼンテーション装置の構成を示すブロック図である。
【図２】  マスタ側ＣＰＵの処理手順を示すフローチャートである。
【図３】  マスタ側ＣＰＵの処理手順を示すフローチャートである。
【図４】  ホスト側ＣＰＵの処理手順を示すフローチャートである。
【図５】  ホスト側ＣＰＵの処理手順を示すフローチャートである。
【符号の説明】
１  マスタ装置
２  ホスト装置
１０  ＰＣ
１２  表示器
１３  ＰＣカードインターフェース部
１４  画像メモリ
１５  制御部
２０  ワイヤレスモデム部（無線ＬＡＮ送信機）
３１  ワイヤレスモデム部（無線ＬＡＮ受信機）
３２  表示器
３３  画像メモリ
３４  制御部
【図１】
0003883746.tif 000002
【図２】
0003883746.tif 000003
【図３】
0003883746.tif 000004
【図４】
0003883746.tif 000005
【図５】
0003883746.tif 000006